(57)【特許請求の範囲】
【請求項１】
ベース材に立設するガイド孔付きの固定ベースと、扉に取り付け、前記ガイド孔に係合するガイドロッドを下端部に有する可動ベースと、前記固定ベース、可動ベースを相対回転自在に連結するリンクとを備えてなり、前記ガイド孔は、後方に向って斜め上向きに湾曲し、前方に向って折り返す一方、前記リンクは、扉が床面と平行に倒伏するとき、後方に傾斜しており、扉を起立させると、後方に揺動してから前方に揺動し、上死点を越えて前方に傾斜することを特徴とする防水扉用のヒンジ装置。
【請求項２】
前記ガイドロッドは、前記ガイド孔に適合するローラを有することを特徴とする請求項１記載の防水扉用のヒンジ装置。
【請求項３】
前記可動ベースは、前記固定ベースの両側に一対を配設し、前記リンクは、前記各可動ベースに対応して設けることを特徴とする請求項１または請求項２記載の防水扉用のヒンジ装置。
【発明の詳細な説明】
【０００１】
【発明の属する技術分野】
この発明は、水害時等において、建物や、駐車場等の出入口などの通路を水密にシールする防水扉用のヒンジ装置に関する。
【０００２】
【従来の技術】
起倒式の防水扉には、扉枠の近傍の床面にリンク形式のヒンジ装置を設置することがある（特公平７−１１２１０号公報）。
【０００３】
防水扉は、通路の床面Ｆに箱形のベースフレームＢＦを埋設し（図６）、ベースフレームＢＦの蓋を起倒式の扉Ｄとして使用するものである。なお、ベースフレームＢＦには、扉Ｄを起倒させる駆動装置が収納されている。扉Ｄは、平常時においては、床面Ｆと同一レベルに水平に倒伏し（同図（Ａ）の実線）、通路を開放するが、水害時には、床面Ｆから起立し（同図の矢印Ｋ方向）、直立させてパッキンＰ、Ｐ…を介して扉枠ＤＦの前面に密接させることにより（同図の二点鎖線）、通路を閉鎖し、外部からの浸水を防ぐことができる。なお、扉枠ＤＦは、ベースフレームＢＦの前方において、ベースフレームＢＦの左右両側に立設されており、パッキンＰ、Ｐ…は、各扉枠ＤＦの他、ベースフレームＢＦの前端にも付設されている。
【０００４】
ベースフレームＢＦには、扉Ｄを起倒自在に支持するヒンジ装置Ｈが組み込まれている。ヒンジ装置Ｈは、ベース材Ｂ上に立設する固定ベース１と、扉Ｄの裏面に取り付けるガイド孔２ａ付きの可動ベース２と、固定ベース１、可動ベース２を相対回転自在に連結するリンク３とを組み合わせてなり、ガイド孔２ａは、可動ベース２の後部上端側から下端部に向って滑らかに屈曲する略Ｓ字形に形成されている。なお、固定ベース１の上端部には、ガイド孔２ａに係合するガイドロッド１ａが付設されており、ガイドロッド１ａは、扉Ｄが倒伏状態にあるとき、ガイド孔２ａの上端付近に位置している。
【０００５】
図示しない駆動装置を介して扉Ｄを起立させると、可動ベース２は、リンク３との連結位置を中心に扉Ｄとともに回転し（同図の矢印Ｋａ  方向）、ガイド孔２ａ、ガイドロッド１ａを介して扉Ｄを後退させながら回転させることができ、その後、扉Ｄが直立するに従って扉Ｄを前進させ、パッキンＰ、Ｐ…に密着させることができる。なお、このときのリンク３は、扉Ｄの前後動に従って前後に揺動する。
【０００６】
【発明が解決しようとする課題】
かかる従来技術によるときは、ガイド孔２ａは、可動ベース２に形成され、ガイドロッド１ａは、固定ベース１に一体に組み立てられているから、扉Ｄを起立させるとき、可動ベース２の回転方向（図６（Ｂ）の矢印Ｋａ  方向）と、ガイドロッド１ａによる可動ベース２、扉Ｄの後退方向（同図の矢印Ｋｂ  方向）とが極端に異なり、扉Ｄの起立動作の開始時に必要な駆動力が過大となり、扉Ｄを起倒させる駆動装置が大形になるという問題があった。
【０００７】
そこで、この発明の目的は、かかる従来技術の問題に鑑み、固定ベースにガイド孔を形成し、ガイドロッドを可動ベースに設けることによって、扉の起立動作の開始時に必要な駆動力を小さくし、小形の駆動装置であっても扉を円滑に駆動することができる防水扉用のヒンジ装置を提供することにある。
【０００８】
【課題を解決するための手段】
かかる目的を達成するためのこの発明の構成は、ベース材に立設するガイド孔付きの固定ベースと、扉に取り付け、ガイド孔に係合するガイドロッドを下端部に有する可動ベースと、固定ベース、可動ベースを相対回転自在に連結するリンクとを備えてなり、ガイド孔は、後方に向って斜め上向きに湾曲し、前方に向って折り返す一方、リンクは、扉が床面と平行に倒伏するとき、後方に傾斜しており、扉を起立させると、後方に揺動してから前方に揺動し、上死点を越えて前方に傾斜することをその要旨とする。
【０００９】
なお、ガイドロッドは、ガイド孔に適合するローラを有してもよい。
【００１０】
さらに、可動ベースは、固定ベースの両側に一対を配設し、リンクは、各可動ベースに対応して設けることができる。
【００１１】
【作用】
かかる発明の構成によるときは、固定ベースに形成するガイド孔は、後方に向って斜め上向きに湾曲しているから、可動ベース側のガイドロッドは、扉の起立動作の開始時において、ガイド孔の方向に円滑に移動して扉を後方に駆動することができ、したがって、起立動作の開始時に必要な駆動力は、極く小さくて足りる。
【００１２】
なお、リンクは、扉が床面と平行に倒伏するとき後方に傾斜しているから、起立動作の開始時に扉が後退するとき、上死点を通過することがなく、そのまま後方に揺動して傾斜することができ、起立する扉を上方に押し上げることなく、扉を一層円滑に起立させることができる。
【００１３】
ガイドロッドがローラを有するときは、ローラは、ガイドロッドとガイド孔との間に発生する抵抗を最小にし、ガイドロッドをガイド孔に沿って円滑に移動させ、全体の耐久性を向上させることができる。
【００１４】
固定ベースの両側に可動ベースを配設するときは、可動ベースは、固定ベースに対する扉の捻れを防止し、リンクは、扉の重量を分割して支持することができる。
【００１５】
【発明の実施の形態】
以下、図面を以って発明の実施の形態を説明する。
【００１６】
防水用のヒンジ装置Ｈは、ベース材Ｂに立設する固定ベース１１と、扉Ｄに取り付け、固定ベース１１の両側に配設する一対の可動ベース１２、１２と、固定ベース１１、可動ベース１２、１２を相対回転自在に連結するリンク１３、１３とを主要部材としてなる（図１、図２）。
【００１７】
ベース材Ｂは、ベースフレームＢＦの前部に配設されている（図１、図３）。ただし、ヒンジ装置Ｈは、扉Ｄの幅方向に複数組が配設されているものとし、図３は、その１組のみを図示している。
【００１８】
ベースフレームＢＦは、通路の床面Ｆに埋設されている。ベースフレームＢＦの前方の左右両側には、扉枠ＤＦ、ＤＦが床面Ｆ上に立設されており、各扉枠ＤＦには、パッキンＰが付設されている。ベースフレームＢＦの後部上面には、アングル材ＢＦ１ａ、ＢＦ１ａを介して点検用の蓋ＢＦ１  が装着されており、ベースフレームＢＦの外周上部には、全周に亘って補強材ＢＦ２  、ＢＦ２  …が付設されている。ベースフレームＢＦの前端には、アングル材Ｐ１  、パッキン収納レールＰ２  を介してパッキンＰが内向きに突設されており、パッキンＰは、両端を扉枠ＤＦ、ＤＦ側のパッキンＰ、Ｐと連続させることにより、全体として上部開放のＵ字状に形成されている。ベース材Ｂの下部には、補強用の基礎材Ｂ１  が設けられている。
【００１９】
ベースフレームＢＦの後部には、図示しない駆動モータを収納する収納ケースＥａ  と、多重中ねじ形式のジャッキＥｂ  とが組み込まれている。ジャッキＥｂ  は、連結機構Ｅｂ１を介し、駆動モータの軸に連結するとともに起倒自在に支持されている。また、ジャッキＥｂ  のロッドＥｂ２は、ブラケットＤ１  を介して扉Ｄの裏面に回転自在に連結されている。
【００２０】
扉Ｄは、板材Ｄ２  と、板材Ｄ２  の裏面に枠形に付設する補強材Ｄ３ａ、Ｄ３ａ…と、補強板Ｄ３ｂ、Ｄ３ｂとによって構成されている。扉Ｄは、駆動モータを介してジャッキＥｂ  を伸長させることにより、ヒンジ装置Ｈを介して起立し（図１、図３の矢印Ｋ方向、図３の二点鎖線）、床面Ｆ上の通路を閉鎖することができ、ジャッキＥｂ  を短縮させることにより倒伏し（図３の実線）、ベースフレームＢＦの上面を閉じるとともに床面Ｆ上の通路を開放することができる。
【００２１】
固定ベース１１は、取付ベース１１ａ、支持ベース１１ｂを逆Ｔ字状に組み合わせて構成されている（図２、図４）。取付ベース１１ａの各隅角部には、取付孔１１ａ１  が形成されている。支持ベース１１ｂには、ガイド孔１１ｃが形成されており、ガイド孔１１ｃは、支持ベース１１ｂの前部から上部後方に向って斜め上向きに弯曲し、前向きに折り返すようにして、フック状に形成されている。支持ベース１１ｂの前部下方には、固定ピン１１ｄが水平に貫通して装着されており、固定ピン１１ｄの両端面には、それぞれねじ穴１１ｄ１  が形成されている。固定ベース１１は、取付ベース１１ａの各取付孔１１ａ１  を介して取付ボルト１１ａ２  、１１ａ２  …をベース材Ｂにねじ込むことにより、ベース材Ｂ上に固定されている。
【００２２】
各可動ベース１２は、取付ベース１２ａ、ガイドベース１２ｂを逆Ｌ字状に組み合わせて構成されている。取付ベース１２ａには、取付孔１２ａ１  、１２ａ１  …が形成されており、ガイドベース１２ｂの上部、下端部には、それぞれ透孔１２ｂ１  、座ぐり付きの透孔１２ｂ２  が形成されている。なお、透孔１２ｂ１  には、固定ピン１２ｃが挿着されている。固定ピン１２ｃは、中間の大径部分を含む一端がガイドベース１２ｂから外向きに突出しており、端面にねじ穴１２ｃ１  が形成されている。
【００２３】
可動ベース１２、１２の透孔１２ｂ２  、１２ｂ２  には、共通のガイドロッド１２ｄの各一端が挿着されており、ガイドロッド１２ｄは、中間のローラ１２ｄ１  を介し、固定ベース１１のガイド孔１１ｃに係合している。すなわち、ガイドロッド１２ｄは、両端面に形成する各ねじ穴１２ｄ２  に対し、透孔１２ｂ２  、押えリング１２ｄ３  を介して止めねじ１２ｄ４  をねじ込むことにより、可動ベース１２、１２の下端部を連結している。なお、ガイドロッド１２ｄには、大径のスペーサ１２ｄ５  、１２ｄ５  が支持ベース１１ｂ、各ガイドベース１２ｂ間に回転自在に介装されている。また、各可動ベース１２は、取付孔１２ａ１  、１２ａ１  …を介し、取付ボルト１２ａ２  、１２ａ２  …を扉Ｄの補強板Ｄ３ｂにねじ込むことにより扉Ｄに取り付けられている。
【００２４】
各リンク１３は、固定ベース１１、可動ベース１２を相対回転自在に連結している。すなわち、各リンク１３の両端部には、固定ピン１１ｄ、１２ｃが回転自在に貫通するメタルブッシュ１３ａ、１３ａが装着されており、各リンク１３は、固定ピン１１ｄ、１２ｃのねじ穴１１ｄ１  、１２ｃ１  に対し、それぞれ座金１３ｂ、１３ｃを介して止めねじ１３ｄをねじ込むことにより外れ止めされている。なお、座金１３ｂの外径は、メタルブッシュ１３ａの内径より十分大径になっている。そこで、リンク１３、１３は、固定ピン１１ｄ、１２ｃを介し、固定ベース１１の支持ベース１１ｂの下部と可動ベース１２のガイドベース１２ｂの上部とを相対回転自在に連結している。
【００２５】
かかる防水用のヒンジ装置Ｈは、次のようにして作動する。
【００２６】
扉Ｄが床面Ｆと平行に倒伏しているとき、ガイドロッド１２ｄは、可動ベース１２、１２を介してガイド孔１１ｃの下端に位置している（図１）。また、このとき、固定ピン１２ｃ、１２ｃは、固定ピン１１ｄよりも僅かに後方に位置しており、リンク１３、１３は、後方に傾斜している。なお、扉Ｄの前端は、左右の切欠きＤａ  、Ｄａ  を介して前方に突出し、ベースフレームＢＦの前端の補強材ＢＦ２  との間に最小の隙間ｄを形成している。
【００２７】
ジャッキＥｂ  を介して扉Ｄを起立させると（図１の矢印Ｋ方向）、可動ベース１２、１２は、それぞれ扉Ｄに連動して固定ピン１２ｃを中心に回転を開始し（同図の矢印Ｋ１  方向）、ガイドロッド１２ｄは、ガイド孔１１ｃに沿って移動し（同図の矢印Ｋ２  方向）、可動ベース１２、１２、扉Ｄを後退させることができる。また、このとき、リンク１３、１３は、ガイドロッド１２ｄがガイド孔１１ｃに沿って移動するに従って後方に揺動する（同図の矢印Ｋ３  方向）。ただし、ガイド孔１１ｃは、固定ピン１２ｃ、１２ｃを中心とするガイドロッド１２ｄの回転軌跡Ｃに比し、後方に長く伸びているものとする。なお、扉Ｄの起立動作の開始時において、ガイド孔１１ｃによるガイドロッド１２ｄのガイド方向（同図の矢印Ｋ２  方向）は、可動ベース１２、１２の回転方向（同図の矢印Ｋ１  方向）にほぼ一致しており、したがって、扉Ｄは、小さい駆動力によって起立動作を開始することができる。
【００２８】
一方、このようにして可動ベース１２、１２、扉Ｄが回転するとともに後退すると（図５（Ａ）の実線）、扉Ｄの前端は、ベースフレームＢＦの前端の補強材ＢＦ２  、ベースフレームＢＦ内のパッキン収納レールＰ２  、パッキンＰに接触することなく、下方に回転することができる（同図の矢印Ｋ４  方向、二点鎖線）。
【００２９】
ジャッキＥｂ  を介して扉Ｄをさらに起立させると（図５（Ｂ）の実線）、ガイドロッド１２ｄは、前方に向って折り返すガイド孔１１ｃに従って前進し、可動ベース１２、１２を前進させる（同図の矢印Ｋ５  方向）。そこで、扉Ｄは、直立するに従って扉枠ＤＦ、ＤＦに向って前進し（同図の二点鎖線）、パッキンＰ、Ｐ…を介して扉枠ＤＦ、ＤＦに密接することにより、床面Ｆ上の通路を水密にシールすることができる。なお、このとき、リンク１３、１３も扉Ｄとともに前方に揺動し（同図の矢印Ｋ６  方向）、最終的に、上死点を越えて前方に傾斜するものとする（同図の二点鎖線）。
【００３０】
一方、ジャッキＥｂ  を介して起立状態の扉Ｄを倒伏させるとき、可動ベース１２、１２は、ガイドロッド１２ｄ、ガイド孔１１ｃを介して扉Ｄを一旦後退させ、扉Ｄが床面と平行に倒伏するに従って扉Ｄを前進させることにより、扉Ｄを元の開放状態に復帰させることができる。
【００３１】
【発明の効果】
以上説明したように、この発明によれば、ガイド孔を有する固定ベースと、下端部にガイドロッドを有する可動ベースと、固定ベース、可動ベースを相対回転自在に連結するリンクとを組み合わせることによって、扉を起立させるとき、ガイドロッドは、ガイド孔を介して可動ベース、扉を前後に移動させることができ、しかも、起立動作の開始時において、可動ベースの回転方向と、ガイド孔によるガイドロッドのガイド方向とをほぼ一致させることができるから、起立動作の開始時に必要な駆動力を小さくし、小形の駆動装置であっても扉を円滑に駆動することができるという優れた効果がある。
【図面の簡単な説明】
【図１】全体構成説明図
【図２】全体構成分解斜視図
【図３】使用状態説明図
【図４】図１のＸ矢視相当図
【図５】動作説明図
【図６】従来例を示す図３相当図と動作説明図
【符号の説明】
Ｄ…扉
Ｂ…ベース材
Ｆ…床面
１１…固定ベース
１１ｃ…ガイド孔
１２…可動ベース
１２ｄ…ガイドロッド
１２ｄ１  …ローラ
１３…リンク
【図１】
0003593600.tif 000002
【図２】
0003593600.tif 000003
【図３】
0003593600.tif 000004
【図４】
0003593600.tif 000005
【図５】
0003593600.tif 000006
【図６】
0003593600.tif 000007